(57)【要約】      （修正有）【課題】音階を頭に浮べ、移調の度数を数えなくても、回転体であるシートを廻し、音名を合わせるだけで、原調楽器及び移調楽器の音階及びコードの移調が簡単かつ正確にできる音階・コード移調早見表器具を提供する。【解決手段】シート１に原曲音階の音名列（列１）とし、円状に並べた桝目に１２音階の音名を右周りに表記する。シート２に原音Ｃ楽器の音階音名列（列２）、原音Ｂ♭移調楽器の音階音名列（列３）、原音Ｅ♭移調楽器の音階音名列（列４）を設け、音名を表記する。シート１とシート２は、同じ回転軸１１にて、接合合体され、相互回転することができ、列１に対して、列２、列３、列４の音名を照合することができる。【選択図】図５
2009205120.tif 000002
【特許請求の範囲】
【請求項１】
シート１（図１参照）に、原曲音階の音名列（列１）とし、円状に並べた桝目５に、１２音階の音名を右周りに表記する。
【請求項２】
シート２（図２参照）に、原音Ｃ楽器の音階音名列（列２）、原音Ｂ♭移調楽器の音階音名列（列３）、原音Ｅ♭移調楽器の音階音名列（列４）、を設け、図１同様音名を表記する。但、表記方法であるが、列３は、列２の音名Ｃの桝目の下段に、音名Ｄをもっていき、順次表記する。また、列４は、列３の音名Ｄの桝目の下段に、音名Ａをもっていき、順次表記する。
【請求項３】
シート１と、シート２は、同じ、回転軸１１にて、接合合体され、相互回転することが出来、列１に対して、列２、列３、列４の音名を照合することができる。
【請求項４】
上記請求項１，２，３をかねそなえることを特徴とする、音階・コード移調早見表器具。
【発明の詳細な説明】
【技術分野】
【０００１】  本発明は、音楽、特に、洋音楽に関するものであり、本発明の器具を利用する事によって、音階、及び、コードの移調が、早く、正確に出来るようにするものである。
【背景技術】
【０００２】  従来では、音階、及び、コードを移調するとき、変化する音階の度数の度合いを、頭に浮かべたり、紙に列記したりして移調していた。  この例として、非特許文献１に開示されているものがある。【非特許文献１】吉田眞由美  著  はじめての楽譜  （株）永岡書店  ２００６年  ７月１０日  発行  Ｐ２３  Ｐ９２  Ｐ１１４
【発明の開示】
【発明が解決しようとする課題】
【０００３】  しかし、従来のように、移調する都度に、音階を頭に浮べ、譜面の音階、及び、コードを変更していたのでは、時間がかかり、不正確な事が多々ある、この不都合を解決することを課題とする。
【課題を解決するための手段】
【０００４】  この課題を解決するための請求項１の発明はシート１に、原曲音階音名列を、列１（図１参照）とし、均等に１２分割され円状に並んだ、桝目５に、１２音階の音名を順次表記する。これにて１オクターブ分の音名が円状に並ぶ。【０００５】  また、請求項２の発明のシート２（図２、参照）は、原音Ｃの原調楽器の音階音名列２、原音Ｂ♭の移調楽器の音階音名列３、原音Ｅ♭の移調楽器の音階音名列４、を表記した回転板とする。  列２は、ピアノ、ギター、ベース等の列であり、列３は、テナーサックス、トランペット、クラリネット等の列であり、また列４は、アルトサックス、バリトンサックス等の列である。【０００６】  また、請求項３の発明は、シート１と、シート２は同じ回転軸１１で接合合体されており、相互回転する事ができる。
【発明の効果】
【０００７】  本発明により、音階、及び、コードの移調の時に、従来の方法の様に、音階を頭に浮べ、移調の度数を数えなくても、回転体であるシート２（図２参照）を廻し、音名を合わせるだけで、移調するために移動した角度と移調の度数は同じであるため、原調楽器、及び、移調楽器の、音階、及び、コードの移調が簡単かつ、正確にできる。
【発明を実施するための最良の形態】
【０００８】  シート１（図１参照）の、中心点１０、より同心円である、外円３、と内円４を描き、二つの円に囲まれた部分を列１とする。列１を音階の数と同数の１２の桝目に均等に分割2009205120.tif 000003
【０００９】  回転体となる、シート２（図２参照）には、中心点１０より同心円６，７，８，９、を描き、各円に囲まれた、列２，３，４の三列をつくる。各列は前項と同様１２分割され、音名を各桝目５に記載する。  内円４（図１参照）と、外円６（表２参照）の直径は同じ寸法とする、それは、列１と列２の音名が重複しないように、するためである。【００１０】  各列２，３，４、の桝目５への音名の記入方法であるが、列２（図２参照）は、どの桝2009205120.tif 000004
と順次記入し、列４には、列３の音名Ｄの下段に音名ＡよりＢ♭・Ｂ・Ｃ・・・・・と順次記入する。それは、列２は原調楽器原音Ｃであり、列３，４は原音の異なる、移調楽器原音Ｂ♭、移調楽器原音Ｅ♭の表であるからである。【００１１】  シート２（図２参照）は、円６で円盤状に切り抜かれた回転体であり、シート１（図１参照）に、中心点１０を同じくする位置に、回転軸１１で接合合体（図３、図４参照）する事により、シート１の上で回転する文字版となり、移調度に応じて回転させ、シート１の列１の原曲音名に、シート２の列２、３，４の移調したい音名を合わせ、対比、対照する事だけで、他の音階、及び、コードの移調も簡単、かつ正確に出来るものである。【００１２】  シート１、２の材質は紙でも化学合成樹脂製でもよい、また円３，４，６，７，８，９は、円でも多角形でもよい。  桝目５の分割は１２分割でも２４分割でもよく、１２音階の倍数であればいい。  音階を表記する音名は、ドイツ音名、イタリア音名、日本音名でもよい、本発明は英・米音名で表記してある。
【実施例】
【００１３】  原曲がハ長調・コードＣの曲を、音階移調し、ト長調・コードＧで演奏する時、原曲の音階、及び、各小節のコードを書き直さねばならない、この時に本発明の早見表を使用すれば、一目瞭然に判明することができる。  実施例、原曲がコードＣであるから、シート２（図２、図３参照）の回転盤を回転させ、列２の音名Ｇの桝目５を、シート１の列１の音名Ｃの桝目５の下段に合わせればいい（実施例１参照）、いわゆる列１と列２を照合するだけで移調が出来る。  故に、原曲の音階がＣ（ド）であれば移調音はＧ（ソ）であり、Ｅ♭（ミ）であればＢ♭（♭シ）であり、Ａ（ラ）であればＥ（ミ）である、コードも同様読み取ればいい。移調楽器原音Ｂ♭であれば列１と列３を照合すればいい、ちなみに、原曲の音階がＣ（ド）であれば列３を読み取りＡ（ラ）となり、Ｅ♭（♭ミ）であればＣ（ド）となり、Ａ（ラ）であればＧ♭（♭ソ）となる。移調楽器原音Ｅ♭の場合も同様、列１と列４を照合すればいい。  いわゆる、原曲の音階、及び、コードを列１とし、演奏楽器に応じて列２、３、４いずれかを選び移調したい音階の音名を、シート１の原曲の音名に合わせ、照合すれば、一目瞭然に、簡単かつ、正確に判明することができる。
【産業上の利用可能性】
【００１４】  本発明の、シート１，２は工業的に量産でき、シート上に印刷するだけの事であるため、産業上の利用可能性を有し，音楽上に最も必要性を有する。
【図面の簡単な説明】
【００１５】
【図１】シート１の表面に、列１の１２音階の音名を表記した正面図である。
【図２】シート２の回転体の表面の列２、３、４に１２音階の音名の配列を表記した正面図である。２本の→は左右可能な回転体であることを示している。
【図３】中心点１０を同じくする回転軸１１で、シート１とシート２が接合合体された正面図である。
【図４】図３をＡ−Ａ‘面で切断した断面図である。
【図５】シート１の列１の音名Ｃの桝目に、シート２を回転させ列２の音名Ｇの桝目を合わせ、いわゆるハ長調の曲をト長調に移調した時の正面図である。
【符号の説明】
【００１６】  １      シート（本考案の本体）  ２      シート（本考案の回転体）  ３      シート１の外円  ４      シート１の内円  ５      音名を記入するための桝目  ６      シート２の外円  ７      シート２の内円  ８      シート２の内円  ９      シート２の最内円  １０    円の中心点  １１    回転軸  列１    シート１の原曲の音名列  列２    シート２の原調楽器原音Ｃの音名列  列３    シート２の移調楽器原音Ｂ♭の音名列  列４    シート２の移調楽器原音Ｅ♭の音名列
【図１】
2009205120.tif 000005
【図２】
2009205120.tif 000006
【図３】
2009205120.tif 000007
【図４】
2009205120.tif 000008
【図５】
2009205120.tif 000009